(57)【要約】      （修正有）【課題】エネルギー源を特定し、積算熱量値とこれに相当するエネルギー源量とＣＯ２換算値を表示できるようにした積算熱量計を提供する。【解決手段】エネルギー源量Ｌは積算熱量値ΣＱをエネルギー源別標準発熱量Ｓで除する事により求めることが出来る（エネルギー源量Ｌ＝積算熱量値ΣＱ／エネルギー源別標準発熱量Ｓ）。ＣＯ２換算量Ｔはエネルギー源量Ｌに温室効果ガス排出係数Ｊを乗ずることにより求めることが出来る（ＣＯ２換算量Ｔ＝エネルギー源量Ｌ×温室効果ガス排出係数Ｊ）。このようにして求めた、エネルギー源量Ｌ、ＣＯ２換算量Ｔ、を表示出来るようにするため、これらのプログラムを積算熱量計の演算部に付け加える。【選択図】図２
0003143750.tif 000002
【実用新案登録請求の範囲】
【請求項１】
エネルギー源を特定し、積算熱量値とこれに相当するエネルギー源量とＣＯ２換算値を表示できるようにした積算熱量計。
【考案の詳細な説明】
【考案の詳細な説明】
【技術分野】
【０００１】  この考案は、温水の熱量を計測する積算熱量計に関するものである。
【背景技術】
【０００２】  従来の積算熱量計の技術は、ＪＩＳ  Ｂ７５５０  のごとく図１で説明すると高温センサー１と低温センサー２と流量計３及び熱量計本体で構成され、高温センサー１と低温センサー２の差温Δｔに流量Ｆと単位係数Ｋを乗じて熱量Ｑを求め、これを累積加算して積算熱量値ΣＱを求めて表示するものであった。
【参考文献１】
ＪＩＳ  Ｂ７５５０
【問題が解決しようとする課題】
【０００３】  しかしながらこの従来の積算熱量計での積算熱量値のＣＯ２換算値を表示するものは無く、積算熱量値を相当量のエネルギー源量に置き換え、エネルギー源量に温室効果ガス排出係数を乗じて変換する必要があり、計算が複雑で簡単にはＣＯ２換算値を求めることができなかった。
したがって、積算熱量値の表示だけではエネルギー源量もＣＯ２換算値も専門的に解析しなければ知りえることが出来ず、環境対策の手段とはなり得なかった。
【問題を解決するための手段】
【０００４】  本考案は、上記課題を、
エネルギー源を特定し、積算熱量値とこれに相当するエネルギー源量とＣＯ２換算値を表示できるようにした積算熱量計により解決しようとするものである。
【考案を実施するための最良の形態】
【０００５】  本考案による積算熱量計の形態について図２で説明すると、
まず、積算熱量値ΣＱに相当するエネルギー源を特定する必要がある。
つまり、エネルギー源としては灯油、都市ガス、プロパンガス、Ａ重油等があり、それぞれエネルギー源別標準発熱量Ｓが異なるのでこれを特定する必要がある。
【参考文献２】
資源エネルギー庁総合政策課  エネルギー源別標準発熱量
それぞれのエネルギー源に対するＣＯ２換算量Ｔは温室効果ガス排出係数Ｊで決められているので、エネルギー源を特定する事により温室効果ガス排出係数Ｊは定義される。
【参考文献３】
環境省  温室効果ガス排出係数
エネルギー源量Ｌは積算熱量値ΣＱをエネルギー源別標準発熱量Ｓで除する事により求めることが出来る（エネルギー源量Ｌ＝積算熱量値ΣＱ／エネルギー源別標準発熱量Ｓ）。ＣＯ２換算量Ｔはエネルギー源量Ｌに温室効果ガス排出係数Ｊを乗ずることにより求めることが出来る（ＣＯ２換算量Ｔ＝エネルギー源量Ｌ×温室効果ガス排出係数Ｊ）ようになる。
このようにして求めた、エネルギー源量Ｌ、ＣＯ２換算量Ｔ、を表示出来るようにする。
これらのプログラムを本考案の積算熱量計の演算部に付け加えることにより本考案の積算熱量計が完成する。
【実施例】
【０００６】  簡単な実施例としては、
まず、積算熱量値ΣＱに相当するエネルギー源を特定する必要がある。
これに対してはエネルギー源専用の本考案の積算熱量計を用意することで解決できる。
つまり、エネルギー源毎に本考案の積算熱量計を製造することでエネルギー源の特定をするものである。
具体例としては図３のごとく、エネルギー源を灯油専用とした本考案の積算熱量計を実施する。
まず、積算熱量計本体４にＯＩＬボタン６とＣＯ２ボタン７を追加する。
積算熱量値ΣＱをエネルギー源別標準発熱量（灯油発熱量）Ｓで除する事により相当するエネルギー源量（灯油量）Ｌを求める。
このエネルギー源量（灯油量）Ｌに灯油の温室効果ガス排出係数（ＣＯ２排出係数）Ｊを乗ずることによりＣＯ２換算値Ｔを求める。
何もしない時は積算熱量値ΣＱを表示部５で表示する
ＯＩＬボタンを押したときにエネルギー源量（灯油量）Ｌを表示部５で表示する
ＣＯ２ボタンを押したときにＣＯ２換算値Ｔを表示部５で表示する。
このプログラムを積算熱量計の回路内に追加する。
こうして本考案の積算熱量計を完成することができるようになる。【０００７】  また、エネルギー源を切替えるスイッチを追加する事により、１台で各種のエネルギー源に対応出来るようになり、積算熱量値ΣＱとこれに相当するエネルギー源量ＬとＣＯ２換算量Ｔを表示できる本考案の積算熱量計を完成することが出来るようになる。
【考案の効果】
【０００８】  本考案による積算熱量計により、
熱源機器に本考案の積算熱量計を取り付けた場合に、積算熱量値ΣＱ、エネルギー源量Ｌ、ＣＯ２換算量Ｔを簡単に知ることが出来るようになる。
▲１▼ボイラー等の熱源機器に本考案の積算熱量計を取り付けた場合は積算熱量値とこれに相当する燃料消費量とＣＯ発生量を知ることが出来るようになり、自己発生の公害の量を知ることが出来、これを減らす対策をすることが出来るようになる。
▲２▼太陽熱等のエネルギー代替装置に本考案の積算熱量計を取り付けた場合は積算熱量値とこれに相当する代替燃料消費量とＣＯ削減量を知ることが出来るようになり、代替燃料消費量に燃料単価を乗ずる事により償却額がわかり、元を取れる計算が出来るようになる。また、ＣＯ２削減量は地球環境に協力できる数値として高く評価されるようになる。
太陽熱等のエネルギー代替装置に本考案の積算熱量計を取り付けた場合は積算熱量値とこれに相当する代替燃料消費量とＣＯ削減量を知ることが出来るようになり、代替燃料消費量に燃料単価を乗ずる事により償却額がわかり、元を取れる計算が出来るようになる。また、ＣＯ２削減量は地球環境に協力できる数値として高く評価されるようになる。
特に、太陽熱システムに本考案の熱量計を取り付ける事により、エネルギー代替量、節約金額、ＣＯ２削減量が把握できるようになり、真の効果を知ることが出来るようになる。これにより、高性能で安い太陽熱システムを消費者に提供できる根拠となり、環境対策と普及拡大を期待できるようになる。
【図面の簡単な説明】
【図１】従来の積算熱量計の構成図である。
【図２】本考案の積算熱量計の構成図である。
【図３】灯油専用の本考案の積算熱量計の全体図である。
【符号の説明】
１    高温温度センサー
２    低温温度センサー
３    流量計
４    積算熱量計本体
５    表示部
６    ＯＩＬボタン
７    ＣＯ２ボタン
Δｔ  温度差（１−２）
Ｆ    流量
Ｑ    熱量演算値（Ｑ＝Ｋ×Ｆ×Δｔ）
ΣＱ  積算熱量値（ΣＱ）
Ｓ    エネルギー源別発熱量
Ｌ    エネルギー源量（ΣＱ／Ｓ）
Ｊ    温室効果ガス排出係数
Ｔ    ＣＯ２換算量（Ｔ＝Ｌ×Ｊ）
【図１】
0003143750.tif 000003
【図２】
0003143750.tif 000004
【図３】
0003143750.tif 000005
【手続補正書】
【提出日】平成20年5月7日(2008.5.7)
【手続補正１】
【補正対象書類名】実用新案登録請求の範囲
【補正対象項目名】全文
【補正方法】変更
【補正の内容】
【実用新案登録請求の範囲】
【請求項１】
熱量を数字で表示できる積算熱量計本体に、エネルギー源ボタンスイッチとＣＯ２ボタンスイッチを取り付けた積算熱量計。
【手続補正２】
【補正対象書類名】明細書
【補正対象項目名】０００４
【補正方法】変更
【補正の内容】
【０００４】  本考案は、上記課題を、
熱量を数字で表示できる積算熱量計本体に、エネルギー源ボタンスイッチとＣＯ２ボタンスイッチを取り付けた積算熱量計により解決しようとするものである。
【手続補正２】
【補正対象書類名】明細書
【補正対象項目名】０００６
【補正方法】変更
【補正の内容】
【０００６】  簡単な実施例としては、
まず、積算熱量値ΣＱに相当するエネルギー源を特定する必要がある。
これに対してはエネルギー源専用の本考案の積算熱量計を用意することで解決できる。
つまり、エネルギー源毎に本考案の積算熱量計を製造することでエネルギー源の特定をするものである。
具体例としては図３のごとく、エネルギー源を灯油専用とした本考案の積算熱量計を実施する。
まず、積算熱量計本体４にエネルギー源ボタン６とＣＯ２ボタン７を追加する。
積算熱量値ΣＱを１００ＭＪ（１００メガジュール）とすることにより、これをエネルギー源別標準発熱量（灯油発熱量）Ｓ＝３６．７ＭＪ／リットルで除すると相当するエネルギー源量（灯油量）Ｌ＝２．７２リットルとなる。
このエネルギー源量（灯油量）Ｌ＝２．７２リットルに灯油の温室効果ガス排出係数（ＣＯ２排出係数）Ｊ＝２．４９２  （ＣＯ２−Ｋｇ）／リットルを乗ずることによりＣＯ２換算値Ｔ＝６．７８  ＣＯ２−Ｋｇを求める事ができる。
何もしない時は積算熱量値ΣＱ＝１００を表示部５で表示する
エネルギー源ボタンを押したときにエネルギー源量（灯油量）Ｌ＝２．７２を表示部５で表示する
ＣＯ２ボタンを押したときにＣＯ２換算値Ｔ＝６．７８を表示部５で表示する。
このプログラムを積算熱量計の演算回路内に追加する。
【手続補正３】
【補正対象書類名】明細書
【補正対象項目名】符号の説明
【補正方法】変更
【補正の内容】
【符号の説明】
１  高温温度センサー
２  低温温度センサー
３  流量計
４  積算熱量計本体
５  表示部
６  エネルギー源ボタン
７  ＣＯ２ボタン
Δｔ  温度差（１−２）
Ｆ  流量
Ｑ  熱量演算値（Ｑ＝Ｋ×Ｆ×Δｔ）
ΣＱ  積算熱量値（ΣＱ）
Ｓ  エネルギー源別発熱量
Ｌ  エネルギー源量（ΣＱ／Ｓ）
Ｊ  温室効果ガス排出係数
Ｔ  ＣＯ２換算量（Ｔ＝Ｌ×Ｊ）